【手続補正書】
【提出日】平成25年2月6日(2013.2.6)
【手続補正１】
【補正対象書類名】明細書
【補正対象項目名】０００６
【補正方法】変更
【補正の内容】
【０００６】
上記課題を解決するため、本発明の画像再生装置は、
複数の画像が記録されている記録手段と、前記記録手段から少なくとも一つの表示用画像を取得する取得手段と、前記表示用画像を表示する表示手段と、前記表示手段に、前記表示用画像と当該表示用画像に関連する関連情報とをそれぞれ表示する画像表示領域を少なくとも一つ設定する設定手段と、前記表示用画像の互いに直交する二方向の各画素数の比率に基づいて、前記各々の画像表示領域内にて当該表示用画像が配置される位置を決定する決定手段と、前記決定手段により前記表示用画像が配置される位置が決定された前記画像表示領域の当該表示用画像が配置されない非配置領域に、その長手方向に沿って当該表示用画像に関連する関連情報を表示させる制御手段と、を備えることを特徴としている。
【手続補正２】
【補正対象書類名】明細書
【補正対象項目名】０００７
【補正方法】変更
【補正の内容】
【０００７】
また、本発明の画像再生方法は、
複数の画像が記録されている記録手段と、表示手段を備えた画像再生装置を用いた画像再生方法であって、前記記録手段から少なくとも一つの表示用画像を取得する処理と、前記表示手段に、前記表示用画像と当該表示用画像に関連する関連情報とをそれぞれ表示する画像表示領域を少なくとも一つ設定する処理と、前記表示用画像の互いに直交する二方向の各画素数の比率に基づいて、前記各々の画像表示領域内にて当該表示用画像が配置される位置を決定する処理と、前記表示用画像が配置される位置が決定された前記画像表示領域の当該表示用画像が配置されない非配置領域に、その長手方向に沿って当該表示用画像に関連する関連情報を表示させる処理と、を含むことを特徴としている。
【手続補正３】
【補正対象書類名】明細書
【補正対象項目名】０００８
【補正方法】変更
【補正の内容】
【０００８】
また、本発明のプログラムは、
複数の画像が記録されている記録手段と、表示手段を備えた画像再生装置のコンピュータを、前記記録手段から少なくとも一つの表示用画像を取得する取得手段、前記表示手段に、前記表示用画像と当該表示用画像に関連する関連情報とをそれぞれ表示する画像表示領域を少なくとも一つ設定する設定手段、前記表示用画像の互いに直交する二方向の各画素数の比率に基づいて、前記各々の画像表示領域内にて当該表示用画像が配置される位置を決定する決定手段、前記決定手段により前記表示用画像が配置される位置が決定された前記画像表示領域の当該表示用画像が配置されない非配置領域に、その長手方向に沿って当該表示用画像に関連する関連情報を表示させる制御手段、として機能させることを特徴としている。
【手続補正４】
【補正対象書類名】特許請求の範囲
【補正対象項目名】全文
【補正方法】変更
【補正の内容】
【特許請求の範囲】
【請求項１】
複数の画像が記録されている記録手段と、
前記記録手段から少なくとも一つの表示用画像を取得する取得手段と、
前記表示用画像を表示する表示手段と、
前記表示手段に、前記表示用画像と当該表示用画像に関連する関連情報とをそれぞれ表示する画像表示領域を少なくとも一つ設定する設定手段と、
前記表示用画像の互いに直交する二方向の各画素数の比率に基づいて、前記各々の画像表示領域内にて当該表示用画像が配置される位置を決定する決定手段と、
前記決定手段により前記表示用画像が配置される位置が決定された前記画像表示領域の当該表示用画像が配置されない非配置領域に、その長手方向に沿って当該表示用画像に関連する関連情報を表示させる制御手段と、
を備えることを特徴とする画像再生装置。
【請求項２】
前記画像表示領域に表示される少なくとも一つの表示用画像を指定する第１指定手段を更に備え、
前記取得手段は、
前記第１指定手段により指定された前記表示用画像を取得することを特徴とする請求項１に記載の画像再生装置。
【請求項３】
前記決定手段は、
前記画像表示領域内にて前記表示用画像の撮像時の構え方向に略直交する方向の一側に寄せるように当該表示用画像が配置される位置を決定することを特徴とする請求項１又は２に記載の画像再生装置。
【請求項４】
前記非配置領域の長手方向に略直交する短手方向の画素数に基づいて、当該非配置領域に表示される前記関連情報の表示サイズを算出する第１算出手段を更に備え、
前記制御手段は、
前記第１算出手段により算出された表示サイズで前記関連情報を前記非配置領域に表示させることを特徴とする請求項１〜３の何れか一項に記載の画像再生装置。
【請求項５】
前記制御手段は、更に、
前記非配置領域に、その長手方向に沿って前記関連情報をスクロール表示させることを特徴とする請求項１〜４の何れか一項に記載の画像再生装置。
【請求項６】
前記関連情報に係る文字列の文字数に基づいて当該文字列をスクロール表示させる速度を算出する第２算出手段を更に備え、
前記制御手段は、
前記第２算出手段により算出された速度で前記文字列をスクロール表示させることを特徴とする請求項１〜５の何れか一項に記載の画像再生装置。
【請求項７】
前記関連情報は、当該関連情報に係る画像に対する画像処理の内容に関連する画像処理情報を含み、
前記制御手段は、
前記画像処理情報に基づいて、前記画像処理の内容に対応する表示態様で前記関連情報を表示させることを特徴とする請求項１〜６の何れか一項に記載の画像再生装置。
【請求項８】
前記制御手段は、更に、
前記画像処理情報に基づいて、前記画像処理の内容に対応する表示態様で前記非配置領域における前記関連情報の背景領域を表示させることを特徴とする請求項７に記載の画像再生装置。
【請求項９】
前記表示手段に一度に表示される画像の数を指定する第２指定手段を更に備え、
前記設定手段は、
前記第２指定手段により指定された画像の数に応じて、所定数の前記画像表示領域を前記表示手段に設定すると共に、前記画像表示領域に表示可能な大きさに、前記表示用画像を縮小することを特徴とする請求項１〜８の何れか一項に記載の画像再生装置。
【請求項１０】
前記画像表示領域は、略正方形状の領域であることを特徴とする請求項１〜９の何れか一項に記載の画像再生装置。
【請求項１１】
前記画像表示領域の互いに直交する二方向の各画素数は、縮小した表示用画像の互いに直交する二方向の各画素数の大きい方の画素数と同数か大きいことを特徴とする請求項１〜１０の何れか一項に記載の画像再生装置。
【請求項１２】
複数の画像が記録されている記録手段と、表示手段を備えた画像再生装置を用いた画像再生方法であって、
前記記録手段から少なくとも一つの表示用画像を取得する処理と、
前記表示手段に、前記表示用画像と当該表示用画像に関連する関連情報とをそれぞれ表示する画像表示領域を少なくとも一つ設定する処理と、
前記表示用画像の互いに直交する二方向の各画素数の比率に基づいて、前記各々の画像表示領域内にて当該表示用画像が配置される位置を決定する処理と、
前記表示用画像が配置される位置が決定された前記画像表示領域の当該表示用画像が配置されない非配置領域に、その長手方向に沿って当該表示用画像に関連する関連情報を表示させる処理と、
を含むことを特徴とする画像再生方法。
【請求項１３】
複数の画像が記録されている記録手段と、表示手段を備えた画像再生装置のコンピュータを、
前記記録手段から少なくとも一つの表示用画像を取得する取得手段、
前記表示手段に、前記表示用画像と当該表示用画像に関連する関連情報とをそれぞれ表示する画像表示領域を少なくとも一つ設定する設定手段、
前記表示用画像の互いに直交する二方向の各画素数の比率に基づいて、前記各々の画像表示領域内にて当該表示用画像が配置される位置を決定する決定手段、
前記決定手段により前記表示用画像が配置される位置が決定された前記画像表示領域の当該表示用画像が配置されない非配置領域に、その長手方向に沿って当該表示用画像に関連する関連情報を表示させる制御手段、
として機能させることを特徴とするプログラム。